(57)【特許請求の範囲】
【請求項１】
画像データに基づいた書き込みを行う書込部を有し、記録材上に画像を形成する画像形成装置において、
同調された基準クロック信号を生成する発振器と、
前記基準クロックの帯域を拡散して、拡散クロック信号を生成する拡散生成器と、
前記書込部を制御する書込制御回路を含め、前記画像形成装置又は前記画像形成装置の各部を制御するための複数の制御回路と、を有し、
前記書込制御回路以外の制御回路のうち１つ以上の制御回路は、前記拡散クロック信号で駆動されるとともに、
前記書込制御回路は、前記同調クロック信号で駆動されることを特徴とする画像形成装置。
【請求項２】
原稿からの光を受光して光電変換する光電変換部と、
前記光電変換部を制御する光電変換制御回路と、
前記光電変換部から出力される画像データを、画像処理する読取画像処理回路と、を有した画像読取装置において、
同調された基準クロックの帯域を拡散して、拡散クロック信号を生成する拡散生成器を有し、前記光電変換制御回路および前記読取画像処理回路は、同じ拡散クロック信号で駆動されることを特徴とする請求の範囲第１項に記載の画像読取装置。
【請求項３】
光を出射するレーザ光源と、
前記レーザ光源から出射された光を主走査方向に偏向する偏向器と、
前記偏向器により偏向された光を検出してインデックス信号を出力する検出器と、
前記検出器から出力されたインデックス信号に基づいて、前記レーザ光源からああ出射される光の変調を制御する書込制御回路とを有した、画像形成装置において、
所定の変調プロファイルに基づいて、同調された基準クロックの帯域を拡散して、拡散クロック信号を生成する拡散生成器と、
前記インデックス信号に基づいて前記拡散生成器にリセットをかけるリセット部と、を有し、
前記書込制御回路は、前記拡散クロック信号で駆動されることを特徴とする画像形成装置。
【請求項４】
記録材上に画像を形成する画像形成装置において、
同調された基準クロックの帯域を拡散して、第１拡散クロック信号を生成する第１拡散生成器と、
同調された基準クロックの帯域を拡散して、第２拡散クロック信号を生成する第２拡散生成器と、
前記画像形成装置又は前記画像形成装置の各部を制御するとともに、前記第１拡散クロック信号で駆動される第１制御回路と前記画像形成装置又は前記画像形成装置の各部を制御するとともに、前記第２拡散クロック信号で駆動される第２制御回路と、を有し、
前記第１拡散クロックの拡散幅と、前記第２拡散クロックの拡散幅とは、異なることを特徴とする画像形成装置。
【請求項５】
前記第１制御回路は、外部機器と通信を行うインターフェースを制御するＩＦ制御回路であり、
前記第２制御回路は、
画像データに基づいた書き込みを行う書込部を制御する書込制御回路、
原稿からの光を受光して光電変換する光電変換部を制御する光電変換制御回路、
光電変換部から出力された画像データを画像処理する読取画像処理回路、
操作部を制御する操作制御回路、
前記画像形成装置全体のシーケンスを制御するシーケンス制御回路、
自動原稿送装置を制御するＡＤＦ制御回路
のうち、少なくとも１つの制御回路であり、
前記第１拡散クロックの拡散幅は、前記第２拡散クロックの拡散幅よりも小さいことを特徴とする請求項４に記載の画像形成装置。
【請求項６】
前記第１制御回路は、画像データに基づいた書き込みを行う書込部を、制御する書込制御回路であり、
前記第２制御回路は、
原稿からの光を受光して光電変換する光電変換部を制御する光電変換制御回路、
光電変換部から出力された画像データを画像処理する読取画像処理回路、
操作部を制御する操作制御回路、
前記画像形成装置全体のシーケンスを制御するシーケンス制御回路、
自動原稿送装置を制御するＡＤＦ制御回路、
外部機器と通信を行うインターフェースを制御するＩＦ制御回路
のうち、少なくとも１つの制御回路であり、
前記第１拡散クロックの拡散幅は、前記第２拡散クロックの拡散幅よりも小さいことを特徴とする請求項４に記載の画像形成装置。
【請求項７】
前記第１制御回路は、原稿からの光を受光して光電変換する光電変換部を、制御する光電変換制御回路であり、
前記第２制御回路は、
操作部を制御する操作制御回路、
前記画像形成装置全体のシーケンスを制御するシーケンス制御回路、
自動原稿送装置を制御するＡＤＦ制御回路の
うち、少なくとも１つの制御回路であり、
前記第１拡散クロックの拡散幅は、前記第２拡散クロックの拡散幅よりも小さいことを特徴とする請求項４に記載の画像形成装置。
【請求項８】
記録材上に画像を形成する画像形成装置において、
同調された基準クロックの帯域を拡散した第１拡散クロックで駆動され、外部機器と通信を行うインターフェースを制御するＩＦ制御回路、
同調された基準クロックの帯域を拡散した第２拡散クロックで駆動され、画像データに基づいた書き込みを行う書込部を制御する書込制御回路と、
同調された基準クロックの帯域を拡散した第３拡散クロックで駆動され、原稿からの光を受光して光電変換する光電変換部を制御する光電変換制御回路と、
同調された基準クロックの帯域を拡散した第４拡散クロックで駆動され、操作部を制御する操作制御回路、前記画像形成装置全体のシーケンスを制御するシーケンス制御回路、自動原稿送装置を制御するＡＤＦ制御回路のうち、少なくとも１つの制御回路と、を有し、
前記第１拡散クロックの拡散幅は、前記第２拡散クロックの拡散幅よりも小さく、
前記第２拡散クロックの拡散幅は、前記第３拡散クロックの拡散幅よりも小さく、
前記第３拡散クロックの拡散幅は、前記第４拡散クロックの拡散幅よりも小さいことを特徴とする画像形成装置。
【請求項９】
記録材上に画像を形成する画像形成装置において、
前記第１制御回路と前記第２制御回路との間でデータ通信が行われる通信線と、
前記通信線中に設けられ、通信されるデータを一時記憶する一時記憶部と、を有することを特徴とする請求の範囲第４項に記載の画像形成装置。
【請求項１０】
同調された基準クロックの帯域を拡散して、第２拡散クロック信号を生成する第２拡散生成器を有し、
前記第２制御回路は、前記第２拡散クロックで駆動されることを特徴とする請求項８９に記載の画像形成装置。
【請求項１１】
画像データに基づいた書き込みを行う書込部を有し、記録材上に画像を形成する  同調された基準クロックの帯域を拡散して、第１拡散クロック信号を生成する第１拡散生成器と、
同調された基準クロックの帯域を拡散して、第２拡散クロック信号を生成する第２拡散生成器と、
前記画像形成装置又は前記画像形成装置の各部を制御するとともに、前記第１拡散クロック信号で駆動される第１制御回路と前記画像形成装置又は前記画像形成装置の各部を制御するとともに、前記拡散クロック信号で駆動される第２制御回路と、を有し、
前記第１拡散生成器と前記第２拡散生成器とは、同期がとられることを特徴とする画像形成装置。
【発明の詳細な説明】
【０００１】
【発明の属する技術分野】
本発明は、記録材上に画像を形成する画像形成装置、原稿の画像を読み取る画像読取装置に関する。
【０００２】
【従来の技術】
デジタル複写機は、その機能でみれば、記録材上に画像を形成する画像形成装置、及び、原稿の画像を読み取る画像読取装置から構成されるものである。このデジタル複写機においては、種々の制御回路が用いられている。例えば、画像データに基づいた書き込みを行う書込部をを制御する書込制御回路、原稿からの光を受光して光電変換する光電変換部を制御する光電変換制御回路、光電変換部から出力された画像データを画像処理する読取画像処理回路、操作部を制御する操作制御回路、前記画像形成装置全体のシーケンスを制御するシーケンス制御回路、自動原稿送装置を制御するＡＤＦ制御回路などがある。これら制御回路は、例えば、水晶発振器などを用いて、所定の周波数に同調されたクロック信号で駆動され、各々の制御回路間において、データの授受を行いながら、画像データの読み取りや画像形成を行う。このクロック信号は、電磁妨害、いわゆるＥＭＩの最大の発生源の一つである。この対策として、従来は、これら制御回路を、枠体で囲むなど、種々の対策がとられてきたが、いまだ十分とは言えないの実情である。
【０００３】
このクロック信号のＥＭＩ対策として、近年、注目されているのが、スペクトラム拡散クロック（ＳＳＣ）の理論をクロックジェネレータ（ＳＳＣＧ）に応用した技術である。この技術は、同調されたクロック信号の帯域を拡散し、これにより、基本波や高調波のピーク輻射の減衰をおこなうことができる。図６は、横軸に周波数、縦軸に電磁波放射強度をとった図であり、スペクトラム拡散クロックを模式的に示した図である。図６から明らかなように、拡散前の同調されているクロックの波形（破線）に対して、変調をかけ拡散をしたスペクトラム拡散クロックにおいては、強度が低くなっている。
【０００４】
【発明が解決しようとする課題】
このように、ＳＳＣＧは、ＥＭＩ対策に有効であるが、本発明者らが、これをこのまま画像形成装置や画像読取装置に適用しようとしたところ、種々の問題が見出された。例えば、良好な画像記録ができなかったり、良好な画像読み取りができなかったり、さらには、種々の制御回路間での整合が取れなかったり種々の問題が発生した。
【０００５】
そこで、本発明は、これら問題を取り除き、良好な画像記録や画像読み取りを行いつつ、ＥＭＩ対策も十分にとることのできる画像形成装置、画像読取装置を提供することを課題とする。
【０００６】
【課題を解決するための手段】
上記課題は、以下の構成により解決することができる。
（１）  画像データに基づいた書き込みを行う書込部を有し、記録材上に画像を形成する画像形成装置において、同調された同調クロック信号を生成する発振器と、同調された基準クロックの帯域を拡散して、拡散クロック信号を生成する拡散生成器と、前記書込部を制御する書込制御回路を含め、前記画像形成装置又は前記画像形成装置の各部を制御するための複数の制御回路と、を有し、前記書込制御回路以外の制御回路のうち１つ以上の制御回路は、前記拡散クロック信号で駆動されるとともに、前記書込制御回路は、前記同調クロック信号で駆動されることを特徴とする画像形成装置。
（２）  原稿からの光を受光して光電変換する光電変換部と、前記光電変換部を制御する光電変換制御回路と、前記光電変換部から出力される画像データを、画像処理する読取画像処理回路と、を有した画像読取装置において、同調された基準クロックの帯域を拡散して、拡散クロック信号を生成する拡散生成器を有し、前記光電変換制御回路および前記読取画像処理回路は、同じ拡散クロック信号で駆動されることを特徴とする画像読取装置。
（３）  光を出射するレーザ光源と、前記レーザ光源から出射された光を主走査方向に偏向する偏向器と、前記偏向器により偏向された光を検出してインデックス信号を出力する検出器と、前記検出器から出力されたインデックス信号に基づいて、前記レーザ光源から出射される光の変調を制御する書込制御回路とを有した、画像形成装置において、所定の変調プロファイルに基づいて、同調された基準クロックの帯域を拡散して、拡散クロック信号を生成する拡散生成器と、前記インデックス信号に基づいて前記拡散生成器にリセットをかけるリセット部と、を有し、前記書込制御回路は、前記拡散クロック信号で駆動されることを特徴とする画像形成装置。
（４）  記録材上に画像を形成する画像形成装置において、同調された基準クロックの帯域を拡散して、第１拡散クロック信号を生成する第１拡散生成器と、同調された基準クロックの帯域を拡散して、第２拡散クロック信号を生成する第２拡散生成器と、前記画像形成装置又は前記画像形成装置の各部を制御するとともに、前記第１拡散クロック信号で駆動される第１制御回路と、前記画像形成装置又は前記画像形成装置の各部を制御するとともに、前記拡散クロック信号で駆動される第２制御回路と、を有し、前記第１拡散クロックの拡散幅と、前記第２拡散クロックの拡散幅とは、異なることを特徴とする画像形成装置。
（５）  前記第１制御回路は、外部機器と通信を行うインターフェースを制御するＩＦ制御回路であり、前記第２制御回路は、画像データに基づいた書き込みを行う書込部を制御する書込制御回路、原稿からの光を受光して光電変換する光電変換部を制御する光電変換制御回路、光電変換部から出力された画像データを画像処理する読取画像処理回路、操作部を制御する操作制御回路、前記画像形成装置全体のシーケンスを制御するシーケンス制御回路、自動原稿送装置を制御するＡＤＦ制御回路のうち、少なくとも１つの制御回路であり、前記第１拡散クロックの拡散幅は、前記第２拡散クロックの拡散幅よりも小さいことを特徴とする（４）に記載の画像形成装置。
（６）  前記第１制御回路は、画像データに基づいた書き込みを行う書込部を、制御する書込制御回路であり、前記第２制御回路は、原稿からの光を受光して光電変換する光電変換部を制御する光電変換制御回路、光電変換部から出力された画像データを画像処理する読取画像処理回路、操作部を制御する操作制御回路、前記画像形成装置全体のシーケンスを制御するシーケンス制御回路、自動原稿送装置を制御するＡＤＦ制御回路、外部機器と通信を行うインターフェースを制御するＩＦ制御回路のうち、少なくとも１つの制御回路であり、前記第１拡散クロックの拡散幅は、前記第２拡散クロックの拡散幅よりも小さいことを特徴とする（４）に記載の画像形成装置。
（７）  前記第１制御回路は、原稿からの光を受光して光電変換する光電変換部を、制御する光電変換制御回路であり、前記第２制御回路は、操作部を制御する操作制御回路、前記画像形成装置全体のシーケンスを制御するシーケンス制御回路、自動原稿送装置を制御するＡＤＦ制御回路のうち、少なくとも１つの制御回路であり、前記第１拡散クロックの拡散幅は、前記第２拡散クロックの拡散幅よりも小さいことを特徴とする（４）に記載の画像形成装置。
（８）  記録材上に画像を形成する画像形成装置において、同調された基準クロックの帯域を拡散した第１拡散クロックで駆動され、外部機器と通信を行うインターフェースを制御するＩＦ制御回路、同調された基準クロックの帯域を拡散した第２拡散クロックで駆動され、画像データに基づいた書き込みを行う書込部を制御する書込制御回路と、同調された基準クロックの帯域を拡散した第３拡散クロックで駆動され、原稿からの光を受光して光電変換する光電変換部を制御する光電変換制御回路と、同調された基準クロックの帯域を拡散した第４拡散クロックで駆動され、操作部を制御する操作制御回路、前記画像形成装置全体のシーケンスを制御するシーケンス制御回路、自動原稿送装置を制御するＡＤＦ制御回路のうち、少なくとも１つの制御回路と、を有し、前記第１拡散クロックの拡散幅は、前記第２拡散クロックの拡散幅よりも小さく、前記第２拡散クロックの拡散幅は、前記第３拡散クロックの拡散幅よりも小さく、前記第３拡散クロックの拡散幅は、前記第４拡散クロックの拡散幅よりも小さいことを特徴とする画像形成装置。
（８）  記録材上に画像を形成する画像形成装置において、同調された基準クロックの帯域を拡散して、第１拡散クロック信号を生成する第１拡散生成器と、前記画像形成装置又は前記画像形成装置の各部を制御するとともに、前記第１拡散クロックで駆動される第１制御回路と、前記画像形成装置又は前記画像形成装置の各部を制御する第２制御回路と、前記第１制御回路と前記第２制御回路との間でデータ通信が行われる通信線と、前記通信線中に設けられ、通信されるデータを一時記憶する一時記憶部と、を有することを特徴とする画像形成装置。
（９）  同調された基準クロックの帯域を拡散して、第２拡散クロック信号を生成する第２拡散生成器を有し、前記第２制御回路は、前記第２拡散クロックで駆動されることを特徴とする（８）に記載の画像形成装置。
（１０）  画像データに基づいた書き込みを行う書込部を有し、記録材上に画像を形成する  同調された基準クロックの帯域を拡散して、第１拡散クロック信号を生成する第１拡散生成器と、同調された基準クロックの帯域を拡散して、第２拡散クロック信号を生成する第２拡散生成器と、前記画像形成装置又は前記画像形成装置の各部を制御するとともに、前記第１拡散クロック信号で駆動される第１制御回路と、前記画像形成装置又は前記画像形成装置の各部を制御するとともに、前記拡散クロック信号で駆動される第２制御回路と、を有し、前記第１拡散生成器と前記第２拡散生成器とは、同期がとられることを特徴とする画像形成装置。
【０００７】
【発明の実施の形態】
以下、図面に基づいて本発明を説明するが、これに先立ち、画像形成装置と画像読取装置とを有したデジタル複写機について、その概略を説明する。図１は、デジタル複写機（以下、単に複写装置ともいう）１の構成を示す模式図である。
【０００８】
図において、複写装置１は、自動原稿搬送装置（通称ＡＤＦ）Ａと、自動原稿搬送装置Ａにより搬送される原稿の画像を読み取るための原稿画像読取部Ｂと、原稿画像読取部Ｂで読み取られた画像を記録紙に画像形成する画像形成部（符号なし）とを有し、画像形成部の上方に原稿画像読取部Ｂが、原稿画像読取部Ｂの上方に自動原稿搬送装置Ａが設けられている。
【０００９】
画像形成部は、読み取られた画像データに従って書き込みを行う書込部Ｄと、記録紙上に画像形成を行うエンジン部Ｅと、記録紙（以下、シートという）Ｐを収納するトレイ等の複数の給紙収納収納手段（以下、給紙トレイ、または、単に、トレイという）２２、２４等を有している。
【００１０】
自動原稿搬送装置Ａは、原稿載置台２６と、ローラＲ１を含むローラ群および原稿の移動通路を適宜切り替えるための切換手段等（参照記号なし）を含む原稿搬送処理部２８とを主要素とする。原稿画像読取部Ｂは、天板ガラスＧの下にあり、光路長を保って往復移動できる２つのミラーユニット３０、３１、固定の結像レンズ（以下、単にレンズという）３３、ライン状の撮像素子（以下、ＣＣＤという）３５等からなる。自動原稿搬送装置Ａは、従来の自動原稿搬送装置と構成上の相違はあるものの原理そのものは公知であり、また、原稿読取部Ｂもよく知られているので、その辺の説明は簡略に行うこととする。
【００１１】
書込部Ｄは、レーザ光源（以下、ＬＤともいう）４０、ポリゴンミラー（偏光器であり、以下、ポリゴンともいう））４２等からなり、像担持体１０上に、画像データに基づいた像露光を行う。エンジン部Ｅは、感光体ドラムからなる像担持体１０と、帯電電極１４と、磁気ブラシ型現像装置からなる現像手段１６と、転写電極１８と、分離電極２０と、クリーニング手段２１と、定着手段Ｈ等から構成され、記録紙上に画像を形成する手段である。このエンジン部Ｅは、像担持体１０上にトナー像を形成し、かつ、シート上に当該トナー像を転写させ、シート上にトナー像を定着させるものであり、その構成およびプロセスはよく知られているので、その説明は簡略に行うこととする。
【００１２】
上記構成において、像担持体１０上にトナー像を形成し、シート上に転写させた後、排紙トレイに排紙するプロセスは、概略、下記の通りである。
【００１３】
原稿載置台２６上に載置される原稿（図示せず）の１枚が原稿搬送処理部２８中で搬送され、ローラＲ１の下を通過中に、露光手段Ｌによるスリット露光が行われる。原稿からの反射光は、固定位置にある前記ミラーユニット３０、３１およびレンズ３３を経て前記ＣＣＤ上に結像され、読みとられる。原稿画像読取部Ｂで読みとられた画像情報（画像データ）は、画像処理処理され、圧縮されて画像メモリーＺ３に格納される。
【００１４】
そして、画像メモリＺ３に格納された画像データは画像形成に応じて呼び出されて伸長され、当該画像データに従って、書込部ＤにおけるＬＤ４０が駆動され、像担持体１０上に露光が行われる。この露光に先立ち、矢印方向（反時計方向）に回転する像担持体１０は、帯電電極１４のコロナ放電作用により所定の表面電位を付与されているが、前記露光により、露光部位の電位が露光量に応じて減じ、結果として、画像データに応じた静電潜像が像担持体１０上に形成される。静電潜像は、前記現像手段１６により反転現像され、可視像（トナー像）とされる。
【００１５】
一方、像担持体１０上のトナー像の先端部が転写領域に到達する前に、例えば、給紙トレイ２２内の１枚のシートＰが給紙搬送されてレジストローラＲ１０に到達し、先端規制されている。シートＰは、トナー像、すなわち像担持体１０上の形成されたトナー像と画像領域と重畳するように、同期を取って回転を開始するレジストローラＲ１０により転写領域に向けて搬送される。転写領域において、像担持体１０上のトナー像は転写電極の付勢によりシートＰ上に転写され、次いで、当該シートＰは分離電極２０の付勢により像担持体１０から分離される。
【００１６】
その後、定着手段Ｈの加圧、加熱により、前記トナー像を形成するトナー粉末はシートＰ上に溶融定着され、当該シートＰは、排紙路７８および排紙手段である排紙ローラ７９を介して排紙トレイＴ上に排紙される。なお、図１において、シートＰは給紙トレイ２２にのみ示してある。
【００１７】
ここで、給紙トレイ２４における参照記号Ｓは、図示しないコイルバネ等の付勢手段により、常時、自由端が上方向に付勢される可動板であり、この結果、最上位紙が後述する送り出しローラに接触する様になっている。なお、給紙トレイ２２も上述の構成と同じ構成を有している。給紙トレイ２２、２４は、シートを収納する給紙収納手段であり、実施の態様において、上下方向に２段に配設した形態にあるが、それ以上の数の給紙トレイを備えることもできる。
【００１８】
この給紙トレイ２４の底部と装置本体の底壁との間に、所定の間隙を持った空間部２５を形成してある。この空間部２５は、シートＰの両面に画像を形成する態様（モード）において使用するものであり、シートの表裏反転用の第２搬送路８０（後記）の一部であって、シートの表裏を反転させるための反転路を構成する。
【００１９】
給紙トレイ２２、２４のそれぞれの先端部（給紙方向にみて、収納されるシートＰの先端に対応する）上部には、送り出しローラ５０、５３と、送り出しローラ５０、５３の下流に設けてあるフィードローラ５１、５４と、フィードローラ５１，５４と圧接し、シートＰの複数枚送りを防止するための重送防止ローラ５２、５５とが設けられており、これらは、給紙トレイ２２、２４に収納されたシートを、１枚ずつ分離しながら送り出す給紙手段である。
【００２０】
６０は、画像形成装置本体外に少なくとも一部が突出し、シートが載置される外部収納手段である手差し給紙トレイで、画像形成装置の本体側壁に対して下端を支点として開閉できるように構成してある。手差し給紙トレイ６０上に載置されるシートＰを画像形成に伴って送り出すために、送り出しローラ６１、送り出しローラ６１の下流に設けてあるフィードローラ６３、フィードローラ６３と圧接し、シートＰの複数枚送りを防止するための重送防止ローラ６５が、前述した給紙トレイ２２、２４に対応して設けた給紙手段と同じ機能を果たすべく、実質的に同じ構成を有した外部給紙手段である。
【００２１】
シートの搬送路は、シートＰ上に画像形成（画像記録）を行わせるための画像形成路７０（シートの移動方向にみて、下方から上方に延びている）と、上段の給紙トレイ２２に収納されるシートを搬送する上段給紙路７２、下段の給紙トレイ２４に収納されるシートを搬送する下段給紙路７４、画像形成がなされたシートを排紙トレイＴ上に排紙するための排紙路７８を有している。すなわち、各給紙トレイ２２、２４から、画像形成手段Ｅを介して、排紙ローラ７９までのシートが搬送される。このシートが搬送される搬送路を、本明細書においては第１搬送路という。なお、この第１搬送路は、シートの片面に画像を形成する際に、シートが搬送される搬送路である。
【００２２】
（上側）分岐ガイド９０は、第１面に画像形成されたシートＰあるいは両面に画像形成されたシートを排紙路７８に向かわせたり、または、後述する第２搬送路８０に向かわせたりするように制御されるものである。換言すれば、ユーザ設定の画像形成の形態（シートの片面のみに画像を形成するモードか、シートの両面に画像を形成するモードか）に応じて制御され、図1において上側に向けて、画像形成路７０を搬送されているシートＰの搬送路を、排紙路７８か、第2搬送路かを切り替える切替手段である。具体的にいえば、シートの両面に画像形成を行うモードが設定されている場合、分岐ガイド９０は、第１面に画像形成され、転写トナー像を有するに至ったシートＰを第２搬送路８０に送り込むように、図の破線位置に位置づけられるように図示しない制御部を介して制御される。また、シートの片面に画像形成を行うモードが設定されている場合、又は、シートの両面に画像形成を行うモードが設定され、かつ、シートの両面に画像形成がなされたシートを搬送する場合、分岐ガイド９０は、図の実線位置をとるように図示しない制御部を介して制御される。
【００２３】
また、画像形成装置は、片面に画像が形成されたシートに再度画像形成が可能なように、第２搬送路８０を有している。シートの第２面に対する画像形成プロセスは下記の通りである。
【００２４】
前述した如く、第１面に画像形成されたシートＰが第１搬送路（画像形成路７０）を上昇移動し、その先端が分岐ガイド９０に達したとき、当該分岐ガイド９０は図の破線位置に保たれているので、シートＰは第２搬送路８０に進入し、移動を継続する。第２搬送路８０の進入部は緩やかな円弧を描いており、シートＰのスムーズな移動を保証する。そして、第2搬送路８０の進入部で円弧を描いてＵターンしたシートＰは、第２搬送路８０を反転路へと下降し、反転ローラＲ２０に挟持され、分岐ガイド９３の方向に送り出される。このとき、分岐ガイド９３は図示の実線位置にあるので、送り出されてくる前記シートＰは下段の給紙トレイ２４の下に形成してある前記空間部２５に導かれる。この空間部２５に導かれたシートＰの画像形成された第１面は下側にある。
【００２５】
そして、反転ローラＲ２０がシートＰの後端を挟持した状態で回転を停止し、その後、前記と逆方向に回転を開始すると、シートＰは表裏を反転された状態、すなわち、画像が形成されていない第２面が像担持体１０側に向けられた状態で第１搬送路（下段給紙路７４を介して、画像形成路７０）に送り込まれ、レジストローラＲ１０で先端規制される。
【００２６】
一方、像担持体１０上には、前述したプロセスにより第２のトナー画像（裏面のトナー画像）が形成されており、当該像担持体１０の回転に同期してレジストローラＲ１０が回転を始めると、第２のトナー画像領域と重なる状態でシートＰが転写領域に進入する。以後、転写処理、分離処理、定着処理がされて、裏面の画像が形成されたシートＰの先端が分岐ガイド９０のある部分に達したとき、分岐ガイド９０は図の実線位置に保たれており、画像形成路７０と排紙路７８とを連通状態とし、第２搬送路８０との連通を絶っているので、シートＰは排紙路７８に進入し、排紙ローラ７９を介して排紙トレイＴ上に排出される。
【００２７】
ところで、手差し給紙部に設けられた手差し給紙トレイ６０であるが、実施の形態においては、図２に示す如く、その外側面が装置本体の側壁となる開閉扉１００上に設けてある。また、手差し給紙トレイ６０を含め、手差し給紙トレイ６０上に載置されるシートを送り出す給紙手段は、給紙トレイ２２用の給紙装置と略同じ高さ位置を以て、開閉扉に取り付けてある。
【００２８】
手差し給紙トレイ６０上から装置内に送り込まれるシートＰの搬送路（以下、第３搬送路という）６６は、記第２搬送路８０を横切って延び、第１搬送路に連通するように構成してある。具体的には、画像形成路７０のシート搬送方向上流側の転写電極１８のある画像記録部よりも手前側、より具体的には、前記レジストローラＲ１０の手前側（上流側）である合流部７６を終端とするように構成してある。
【００２９】
第1の実施の形態
以下、上述した複写機１を例にして、第1の実施の形態について説明する。図2は、複写機1の制御系をあらわしたブロック図である。
【００３０】
自動原稿搬送装置Ａは、上述したように、原稿の搬送を行う装置であり、制御系としては、自動原稿搬送装置Ａの駆動制御するための制御回路であるＡＤＦ制御回路Ａ１と、クロック信号を発振する発振器Ａ５とを有している。この発振器Ａ５は、所定の周波数に同調されたクロック信号（以下、同調クロック信号、基準クロック信号ともいう）の生成を行う回路で、例えば、水晶発振器などが用いられる。そして、ＡＤＦ制御回路Ａ１は、ローラ郡や切替手段等を含む原稿搬送処理部２８や原稿のサイズ検知を行うためのセンサ（不図示）などを駆動制御するための回路であり、ゲートアレイのみで構成されてもよく、或いは、ゲートアレイの他に、ROMやＲＡＭなどとともにＣＰＵを有していてもよい。このＡＤＦ制御回路Ａ１は、発振器Ａ５で生成された同調クロック信号で駆動される。また、自動原稿搬送装置Ａは、後述する画像処理＆エンジン制御基板（以下、エンジン制御基板ともいう）Ｃとデータの授受を行い、エンジン制御基板Ｃに管理されながら、原稿の搬送の制御が行われる。
【００３１】
原稿画像読取部Ｂは、上述したように、原稿の画像を光電変換する部であり、制御系としては、原稿画像読取部Ｂのメカを駆動制御するための制御回路である読取メカ制御回路Ｂ１と、同調クロック信号を発振する発振器Ｂ５と、光電変換部であるＣＣＤ３５を制御する光電変換制御回路であるＣＣＤ制御回路Ｂ２を有している。この発振器Ｂ５は、上述した発振器Ａ５と同様に、所定の周波数に同調された同調クロック信号の生成を行う回路である。そして、読取メカ制御回路Ｂ１は、上述した２つのミラーユニット３０、３１の移動や、拡大・縮小に合わせたレンズ３３の移動など、原稿画像読取部Ｂのメカ系の駆動を制御するための回路であり、ゲートアレイのみで構成されてもよく、或いは、ゲートアレイの他に、ROMやＲＡＭなどとともにＣＰＵを有していてもよい。この読取メカ制御回路Ｂ１は、発振器Ｂ５で生成された同調クロック信号で駆動される。また、ＣＣＤ制御回路Ｂ２は、ＣＣＤ３５を駆動するための制御回路である。このＣＣＤ制御回路Ｂ２は、同調された同調クロック信号ではなく、後述するように拡散クロック信号で駆動される。また、原稿画像読取部Ｂは、後述するエンジン制御基板Ｃとデータの授受を行い、エンジン制御基板Ｃに管理されながら、制御を行う。
【００３２】
書込部Ｄは、上述したように、画像データに従って書き込みを行う部であり、制御系としては、画像データに基づいてＬＤ４０から出射される光の変調を制御する書込制御回路Ｄ１と、偏向器であるポリゴン４２で偏向されたＬＤ４０から出射された光を検出してインデックス信号を出力する検出器（インデックスセンサ）Ｄ２とを有している。ここで、検出器Ｄ２は、副走査方向（像担持体１０の移動方向）の各ライン毎に、ＬＤ４０の光を検出してインデックス信号を出力し、このインデックス信号に基づいて、主走査方向の書込開始がなされるものであって、この構成自体は、公知であるので、ここでは説明を省略する。書込制御回路Ｄ１は、画像データに基づいたＬＤ４０の強度変調及び／又はパルス幅変調の制御を行うための回路であり、ゲートアレイのみで構成されてもよく、或いは、ゲートアレイの他に、ROMやＲＡＭなどとともにＣＰＵを有していてもよい。この書込制御回路Ｄ１は、後述する発振器ＣＷ１で生成された同調クロック信号で駆動される。また、書込部Ｄは、後述するエンジン部Ｅやエンジン制御基板Ｃとデータの授受を行い、エンジン部Ｅやエンジン制御基板Ｃに管理されながら、画像データに基づいた露光（書込）を行う。
【００３３】
エンジン部Ｅは、上述したしたように、画像をシート上に形成する部であり、制御系としては、エンジン部Ｅの各部の動作やプロセス条件を制御するエンジン制御回路Ｅ１と、同調クロック信号を発振する発振器Ｅ５とを有している。この発振器Ｅ５は、上述した発振器Ａ５と同様に、所定の周波数に同調された同調クロック信号の生成を行う回路である。そして、エンジン制御回路Ｅ１は、上述した像担持体１０、帯電電極１４、現像手段１６、転写電極１８、分離電極２０、定着手段Ｈなどの駆動を制御するための回路であり、ゲートアレイのみで構成されてもよく、或いは、ゲートアレイの他に、ROMやＲＡＭなどとともにＣＰＵを有していてもよい。このエンジン制御回路Ｅ１は、発振器Ｅ５で生成された同調クロック信号で駆動される。エンジン部Ｅは、後述するエンジン制御基板Ｃとデータの授受を行い、エンジン制御基板Ｃに管理されながら、制御を行う。
【００３４】
操作部Ｕは、複写機１の前面に設けられた操作パネル（液晶などの表示部及びタッチパネルやキーなどの入力部を備えたパネル）に、複写機の動作の状態やユーザーが動作の設定を行うための部であり、制御系としては、操作パネルの表示の制御や押圧の検知を行う操作制御回路Ｕ１と、同調クロック信号を発振する発振器Ｕ５とを有している。この発振器Ｕ５は、上述した発振器Ａ５と同様に、所定の周波数に同調された同調クロック信号の生成を行う回路である。そして、操作制御回路Ｕ１は、液晶への表示制御及びタッチパネルやキーの押圧検知などの制御をするための回路であり、ゲートアレイのみで構成されてもよいが、表示文字等が多いため、ゲートアレイの他に、ROMやＲＡＭなどとともにＣＰＵを有していることが好ましい。この操作制御回路Ｕ１は、発振器Ｕ５で生成された同調クロック信号で駆動される。操作部Ｕは、後述する全体制御基板Ｚとデータの授受を行い、全体制御基板Ｚに管理されながら、制御を行うとともに、ユーザーにより設定された情報を全体制御基板Ｚへと伝達する。
【００３５】
インターフェース部（以下、Ｉ／Ｆ部という）Ｖは、外部機器（例えば、ＦＡＸやプリントコントローラなど外部機器であり、この場合、複写機１に内蔵されるものであってもよい）との通信（データの授受）を行うためのインターフェース部であり、制御系としては、外部機器とのインターフェースの制御を行うＩ／Ｆ制御回路Ｖ１と、同調クロック信号を発振する発振器Ｖ５とを有している。この発振器Ｖ５は、上述した発振器Ａ５と同様に、所定の周波数に同調された同調クロック信号の生成を行う回路である。そして、Ｉ／Ｆ制御回路Ｖ１は、インターフェースの制御を行う回路であり、ゲートアレイのみで構成されてもよいが、ゲートアレイの他に、ROMやＲＡＭなどとともにＣＰＵを有していてもよい。このＩ／Ｆ制御回路Ｖ１は、発振器Ｖ５で生成された同調クロック信号で駆動される。Ｉ／Ｆ部Ｖは、後述する全体制御基板Ｚとデータの授受を行い、全体制御基板Ｚに管理されながら、制御を行うとともに、外部機器からの情報を全体制御基板Ｚへと伝達する。
【００３６】
エンジン制御基板Ｃは、自動原稿搬送装置Ａ、原稿画像読取部Ｂ、書込部Ｄ、エンジン部Ｅなどを管理するとともに、シートの搬送制御や画像処理を行うための基板であり、これら管理や制御を司るＣＰＵＣ１と、同調クロック信号を発振する発振器Ｃ５と、読み取った画像データの画像処理などを行う読取制御部ＣＲと、書き込む画像データの画像処理を行う書込制御部ＣＷとを有している。この発振器Ｃ５は、上述した発振器Ａ５と同様に、所定の周波数に同調された同調クロック信号の生成を行う回路である。そして、ＣＰＵＣ１は、図示しないROMに格納されたプログラムに基づいて、図示しないＲＡＭを作業領域として、種々の制御を行う制御回路として機能する。このＣＰＵＣ１は、発振器Ｃ５で生成された同調クロック信号で駆動される。なお、このエンジン制御基板Ｃは、自動原稿搬送装置Ａ、原稿画像読取部Ｂ、書込部Ｄ、エンジン部Ｅおよび後述する全体制御基板Ｚとデータの授受を行うよう構成され、全体制御基板Ｚによる管理下のもとで、自動原稿搬送装置Ａ、原稿画像読取部Ｂ、書込部Ｄ、エンジン部Ｅを制御する。
【００３７】
読取制御部ＣＲは、ＣＣＤ制御回路Ｂ２を制御するためのクロック信号を与えるとともに、ＣＣＤ３５によって光電変換された画像データの画像処理を行う部であり、原稿画像読取部Ｂとともに画像読取装置の一部を構成する。この読取制御部ＣＲは、画像データの画像処理を行う読取画像処理回路ＣＲ１と、基準クロック信号を発振する発信器ＣＲ５と、基準クロック信号を拡散する拡散生成器ＣＲ６とを有している。読取画像処理回路ＣＲ１は、ＣＣＤ３５によって読み取られた画像データに対して、領域判別、輝度／濃度変換、フィルター、変倍、ガンマ変換、誤差拡散、スムージングなどの画像処理を施す回路であり、ゲートアレイのみで構成されているが、ゲートアレイの他に、ROMやＲＡＭなどとともにＣＰＵを有していてもよい。この発振器ＣＲ５は、上述した発振器Ａ５と同様に、所定の周波数に同調されたクロック信号の生成を行う回路である。なお、本実施の形態においは、このクロック信号をそのまま使用するものではないため、この発信器ＣＲ５から発振されるクロック信号を基準クロック信号という。
【００３８】
拡散生成器ＣＲ６は、同調された基準クロック信号の帯域を拡散し、拡散クロック（スペクトラム拡散クロック）を生成するものである（図６参照）。この拡散クロック信号は、図３に示すような所定の変調プロファイルに基づいて、所定の周期Ｔ間隔で周波数を変調されたものである。なお、この変調幅（図６における左右幅であり、図３においては上下幅である）は、拡散された拡散クロック信号の周波数の中心（基準クロック信号の周波数Ｎｒを中心に拡散した場合は、Ｎｒ）に対して、±１０％（好ましくは、±５％以内、さらに好ましくは、±２．５％以内）である（図３における実線）。なお、変調幅は、基準クロック信号の周波数を中心に行う必要はなく、基準クロック信号の周波数を、変調幅の最大周波数としてもよく（図３における一点鎖線）、逆に、変調幅の最小周波数としてもよい（図３における鎖線）。また、変調プロファイルとして正弦波などでもよいが、図３に示すような変調プロファイルの方が、ＥＭＩ成分のピークを低減することができる。
【００３９】
そして、この拡散クロック信号は、読取画像処理回路ＣＲ１の駆動クロックとして、読取画像処理回路ＣＲ１に入力され、読取画像処理回路ＣＲ１は、この拡散クロック信号で駆動される。また、この拡散クロック信号は、ＣＣＤ制御回路Ｂ２の駆動クロックとして、ＣＣＤ制御回路Ｂ２にも入力され、ＣＣＤ制御回路Ｂ２は、拡散クロック信号で、駆動される。なお、読取画像処理回路ＣＲ１で画像処理がなされた画像データは、後述する記録画像処理回路ＣＷ１へ直接出力されるか、或いは、後述する圧縮伸長回路Ｚ２を介して画像メモリＺ３に格納される。
【００４０】
書込制御部ＣＷは、書込制御回路Ｄ１を制御するためのクロック信号を与えるとともに、画像データの画像処理を行う部である。この書込制御部ＣＷは、画像データの画像処理を行う書込画像処理回路ＣＷ１と、基準クロック信号を発振する発信器ＣＷ５とを有している。書込画像処理回路ＣＷ１は、画像メモリＺ３から読み出され伸長された画像データ或いは読取画像処理回路ＣＲ１から出力された画像データを、書込部Ｄやエンジン部Ｅの特性に合わせた画像処理を施し、ＬＤ４０へ出力する回路であり、ゲートアレイのみで構成されているが、ゲートアレイの他に、ROMやＲＡＭなどとともにＣＰＵを有していてもよい。この発振器ＣＷ５は、上述した発振器Ａ５と同様に、所定の周波数に同調された同調クロック信号の生成を行う回路である。この同調クロック信号は、書込画像処理回路ＣＷ１の駆動クロックとして、書込画像処理回路ＣＷ１に入力され、書込画像処理回路ＣＷ１は、この同調クロック信号で駆動される。また、この同調クロック信号は、書込制御回路Ｄ１の駆動クロックとして、書込制御回路Ｄ１にも入力され、書込制御回路Ｄ１は、同調クロック信号で、書込画像処理回路ＣＷ１から出力される画像データに応じた変調をかけ、ＬＤ４０を駆動する。
【００４１】
全体制御基板Ｚは、複写機全体の制御を司る基板、すなわち、複写機全体のシーケンスの制御を行うための基板である。この全体制御基板Ｚには、複写機全体のシーケンス制御を行うシーケンス制御回路であるＣＰＵＺ１と、画像データを圧縮／伸長する圧縮伸長回路Ｚ２と、画像データを記憶する画像メモリＺ３と、基準クロック信号を発振する発信器Ｚ５と、基準クロック信号を拡散する拡散生成器Ｚ６とを有している。この発振器Ｚ５および拡散生成器Ｚ６は、上述した発振器ＣＲ５および拡散生成器ＣＲ６と同様であるので、その説明は省略する。そして、ＣＰＵＣ１は、図示しないROMに格納されたプログラムに基づいて、図示しないＲＡＭを作業領域として、複写機全体のシーケンス制御を行うシーケンス制御回路として機能する。このＣＰＵＣ１は、発振器Ｚ５で生成された同調クロック信号で駆動される。圧縮伸長回路Ｚ２は、ＣＣＤ３５で読み取られた画像データ（読取画像処理回路ＣＲ１で画像処理された画像データ）を圧縮する圧縮回路と、後述する画像メモリＺ３に記憶された画像データ（圧縮されたデータ）を伸長して記録画像処理回路ＣＷ１へ出力する伸長回路とから構成されるゲートアレイである。また、画像メモリＺ３は、圧縮伸長回路Ｚ２で圧縮された画像データを記憶する記憶手段である。この圧縮伸長回路Ｚ２および画像メモリＺ３は、発信器Ｚ５で生成された同調クロック信号で駆動される。なお、この全体制御基板Ｃは、操作部Ｕ、Ｉ／Ｆ部Ｖおよびエンジン制御基板Ｃとデータの授受を行い、複写機全体の制御を行うよう構成されている。
【００４２】
このように本実施の形態では、ＣＣＤ制御回路Ｂ２および読取画像処理回路ＣＲ１は、同じ拡散クロック信号で駆動される。これは、ＣＣＤ制御回路Ｂ２と読取画像処理回路ＣＲ１とを、異なる拡散クロック信号で駆動させた場合は、ＣＣＤ３５から出力される画像データと、画像処理を施す画像データとの整合がとれず、良好な画像読取ができないためである。なお、本実施の形態では、この読取画像処理回路ＣＲ１は、ＣＣＤ３５の読み取りにリアルタイムで画像処理を施しているので、特にこの問題を解決することができる。
【００４３】
また、本実施の形態では、少なくとも１つの制御回路（本実施の形態では、ＣＣＤ制御回路Ｂ２と読取画像処理回路ＣＲ１）が拡散クロック信号で駆動されるとともに、書込制御回路Ｄ１は同調クロック信号で駆動されるよう構成している。これは、一般に、書き込み系は高精度が要求され、そのため、普通に拡散クロックを用いた場合には、その拡散により書き込みにムラが生じやすいため、良好な画像記録ができにくいためである。そして、本実施の形態においては、拡散クロック信号を用いているので、基本波や高調波のピーク輻射の減衰をおこなうことができ、ＥＭＩ対策も十分にとることができる。
【００４４】
なお、本実施の形態において、拡散生成器ＣＲ６として、−Ｗ４２Ｃ３１−０３Ｇ（ＣＹＰＲＥＳＳ製）を用いて、基準クロック信号の周波数２６．２１３５ＭＨｚに対して、拡散幅を−２％（すなわち、拡散クロック信号の周波数の中心（約２５．８ＭＨｚ）に対して±１％）とし、また、拡散生成器Ｚ６として、−Ｗ４２Ｃ３１−０９Ｇ（ＣＹＰＲＥＳＳ製）を用いて、基準クロック信号の周波数３９．９０００ＭＨｚに対して、拡散幅を±１．２５％（すなわち、拡散クロック信号の周波数の中心（３９．９ＭＨｚ）に対して±１．２５％）とした場合に、良好な結果を得た。
【００４５】
第２の実施の形態
次に、第２の実施の形態について説明する。図４は、第２の実施の形態における複写機１の制御系をあらわしたブロック図である。なお、本実施の形態においては、上述した第１の実施の形態と基本的に同じ構成については同じ符号を付与し、以下において特に説明がない限り、上述の第１の実施の形態同じであり、その説明を省略する。
【００４６】
上述した第１の実施の形態においては、２つの拡散生成器ＣＲ６、Ｚ６を利用し、複数の制御回路のうち拡散クロック信号で駆動された制御回路は、ＣＣＤ制御回路Ｂ２、読取画像処理回路ＣＲ１、ＣＰＵＺ１、圧縮身長回路Ｚ２、画像メモリＺ３であった。しかし、本実施の形態においては、発信器Ａ５、Ｂ５、Ｅ５、Ｕ５、Ｖ５、Ｃ５、ＣＲ５、ＣＷ５、Ｚ５それぞれから出力される同調された同調クロック信号（基準クロック信号）を、それぞれの帯域を拡散する拡散生成器Ａ６、Ｂ６、Ｅ６、Ｕ６、Ｖ６、Ｃ６、ＣＲ６、ＣＷ６、Ｚ６を設けている。このように、すべての発信器に対して拡散生成器を設けて、各制御回路を、拡散クロック信号で駆動するようにしている。これにより、よりＥＭＩ対策を図ることができる。
【００４７】
ところで、各所に拡散生成器を単純に設けた場合、良好な画像記録ができなかったり、良好な画像読み取りができなかったり、さらには、種々の制御回路間での整合が取れなかったり種々の問題が発生した。そこで、本実施の形態においては、各拡散生成器Ａ６、Ｂ６、Ｅ６、Ｕ６、Ｖ６、Ｃ６、ＣＲ６、ＣＷ６、Ｚ６で生成される拡散クロック信号の拡散幅を、それぞれのＷＡ、ＷＢ、WE、ＷＵ、ＷＶ、ＷＣ、ＷＣＲ、ＷＣＷ、ＷＺとすると、次のように各拡散幅の設定を行うことにより、上述の問題を解決することができた。
ＷＶ＜ＷＣＷ＜ＷＣＲ＜ＷＡ  ｏｒ  ＷＢ  ｏｒ  WE  ｏｒ  ＷＵ  ｏｒ  ＷＣｏｒ  ＷＺ
すなわち、外部機器との通信を行うＩ／Ｆ制御回路Ｖ１を駆動する拡散クロック信号の拡散幅ＷＶをもっとも狭くすることで、外部機器との通信エラーの発生を抑制することができ、外部機器との整合性の確保を行うことができる。また、書込制御を行う書込制御回路Ｄ１を駆動する拡散クロック信号の拡散幅ＷＣＷを、拡散幅ＷＶよりは広くし、その他の拡散幅（ＷＣＲ、ＷＡ、ＷＢ、WE、ＷＵ、ＷＣ、ＷＺ）よりも狭くすることで、拡散による書き込みにムラを抑えて良好な画像記録を行うことができる。また、ＣＣＤ制御回路Ｂ２を駆動する拡散クロック信号の拡散幅ＷＣＲを、拡散幅ＷＶ、ＷＣＷよりは広くし、その他の拡散幅（ＷＡ、ＷＢ、WE、ＷＵ、ＷＣ、ＷＺ）よりも狭くする。これは、本発明者らが検討を行った結果、読取り系では、拡散クロック信号による画像信号の影響はＣＣＤ３５が１ラインの画像を読込むときの蓄積時間の変化になって現れ、１画素１画素の画像データに対しては影響は少ない。また、１ラインの蓄積時間に比較してクロックの拡散幅の変化は無視できるほど小さい。これに対して、書込み系では、拡散クロック信号による画像信号の影響は１画素１画素の印字位置に現れ、個々の画素の印字位置の変化はジッターとなって画質の低下を招く。
【００４８】
さらに、本実施の形態では、検出器（インデックスセンサ）Ｄ２によるインデックス信号の出力を、拡散生成器ＣＷ６にも入力するよう構成している。拡散生成器ＣＷ６では、このインデックス信号が入力されると、リセットをかけられるように構成している。すなわち、拡散生成器ＣＷ６は、上述したように、変調プロファイルに基づいて、所定の周期Ｔ間隔で周波数が変調され、基準クロック信号の帯域を拡散しているが、インデックス信号に応じてリセットがかけられるために、主走査の各ラインにおいて、常に、同じ拡散の仕方を取ることができ、良好な画像書込みを行うことができる。特に、この場合、変調プロファイルにより、予め拡散の仕方がわかっているので、これに合わせた画像処理（記録画像処理回路ＣＷ１による画像処理）を施すことによって、さらに良好な画像書込みを行うことができる。
【００４９】
なお、本実施の形態では、拡散生成器ＣＷ６に、インデックス信号に応じてリセットをかけるように構成しているが、このリセットをかけずに、書込制御回路Ｄ１を、拡散クロック信号で駆動した場合画像書き込み時に問題となるモアレを、拡散クロック信号の拡散により防ぐことができる。この場合、変調プロファイルの周期Ｔの整数倍が、主走査１ラインを走査する時間にならないようにすればよい。
【００５０】
また、本実施の形態のように、複数の拡散生成器を用い、しかも、それらで生成される拡散クロック信号の拡散幅が異なる場合に、各制御回路間で情報の授受を行うに際しては、伝達エラーを生じる。そこで、図５に示すように、各制御回路間でデータ通信が行われる通信線の途中に、通信されるデータを一時記憶する一時記憶部（バッファなど）を設けることが好ましい。これにより、拡散幅の相異を気にせずに、データの授受を行うことができ、伝達エラーの発生を防ぎ、種々の制御回路間での整合を容易にとることができる。
【００５１】
さらに、本実施の形態のように、１つの装置内に複数の拡散生成器を用いた場合、各制御回路間でタイミングを合わせたいことがある。そのために、複数の拡散生成器で同期を取るように構成させることが好ましい。この同期の取り方は、例えば、上述したように同期をとりたい複数の拡散生成器に、リセット信号を与えることにより行うことができる。この場合、複数の拡散生成器すべてに対してリセットをかける必要はなく、少なくとも、同期を取りたい拡散生成器にリセットをかければよい。
【００５２】
さらに、スペクトラム拡散クロックを用いている各制御回路が設けられている基板を、金属製の枠体或いは金属メッキされた枠体で囲えば、既にＥＭＩ対策しているにも係わらず、さらに、見た目上でも、ユーザーに対して、放射雑音の漏れを防止している印象を与えることができる。
【００５３】
【発明の効果】
以上詳述したように、本発明によれば、良好な画像記録や画像読み取りを行いつつ、さらには、種々の制御回路間での整合が取れ、かつ、ＥＭＩ対策も十分にとることのできる画像形成装置、画像読取装置を提供することができる。
【図面の簡単な説明】
【図１】デジタル複写機（以下、単に複写装置ともいう）１の構成を示す模式図である。
【図２】第1の実施の形態の複写機1の制御系をあらわしたブロック図である。
【図３】拡散生成器の変調プロファイルを示す図である。
【図４】第２の実施の形態の複写機1の制御系をあらわしたブロック図である。
【図５】第２の実施の形態の変形例の複写機1の制御系をあらわしたブロック図である。
【図６】スペクトラム拡散クロックを模式的に示した図である。
【符号の説明】
１  複写機
４０  ＬＤ（レーザ光源）
４２  ポリゴン（偏光器）
Ａ  自動原稿搬送装置
Ａ１  ＡＤＦ制御回路
Ｂ  原稿画像読取部
Ｂ１  ＣＣＤ制御回路（光電変換制御回路）
Ｃ  画像処理＆エンジン制御基板
Ｃ１  ＣＰＵ
ＣＲ  読取制御部
ＣＲ１  読取画像処理回路
ＣＷ  書込制御部
ＣＷ１  記録画像処理回路
Ｄ  書込部
Ｄ１  書込制御回路
Ｄ２  検出器（インデックスセンサ）
Ｅ  エンジン部
Ｅ１  エンジン制御回路
Ｕ  操作部
Ｕ１  操作制御回路
Ｖ  インターフェース部
Ｖ１  Ｉ／Ｆ制御回路
Ｚ  全体制御基板
Ｚ１  ＣＰＵ（シーケンス制御回路）
Ｚ２  圧縮伸長回路
Ｚ３  画像メモリ
Ａ５  、Ｂ５、Ｅ５、Ｕ５、Ｖ５、Ｃ５、ＣＲ５、ＣＷ５、Ｚ５  発信器
Ａ６  、Ｂ６、Ｅ６、Ｕ６、Ｖ６、Ｃ６、ＣＲ６、ＣＷ６、Ｚ６  拡散生成器
【図１】
0003780794.tif 000002
【図２】
0003780794.tif 000003
【図３】
0003780794.tif 000004
【図４】
0003780794.tif 000005
【図５】
0003780794.tif 000006
【図６】
0003780794.tif 000007